(57)【要約】      （修正有）【課題】フイゴのように、風圧のある風を回転運動により送り出せるポンプを作ること。【解決手段】円盤状の空気室と、円形から楕円形に変形出来、かつ、空気室と気密を保つことが出来るリングから成り、リングの一部を空気室の内側壁面に設けた二つの空気通路５，６の間に固着させ、他の部分を空気室の内壁に添って押さえながら空気室の内部を一周させることで、空気室の内部に形成された二つの空間の容積を変化させ、空気通路５，６より空気を吸入、吐出させポンプ作用を行わせるものである。【選択図】図２
2010024936.tif 000002
【特許請求の範囲】
【請求項１】
リング状で、リングの形を円やおむすび型などに変形出来るリングと、このリングを収容する円盤状の空気室を設けたケースとから成り、リングは空気室より小さくリングの外周は空気室の内径の２倍より大きく、リングは空気室の上面と下面とに常に気密に接し、空気室の内壁はリングが空気室の内壁に押しつけられたとき、リングの外周と気密に接する形に形成されており、空気室にリングの一部が固着され、固着された部分の両側に近接してケースの内壁から外部に通じる空気通路が設けられていることを特徴とするリングポンプ。
【請求項２】
リング断面の形状が円形、半球状、角形、パイプ状、スポンジ状など、円形または非円形であることを特徴とする請求項１記載のリングポンプ。
【請求項３】
リングの表面に、リングと空気室との摩擦を小さくする素材を固着させたことを特徴とする請求項１記載のリングポンプ。
【請求項４】
リングと空気室の内壁とが接触する部分に、リングより柔らかい素材を固着させたことを特徴とする請求項１記載のリングポンプ。
【発明の詳細な説明】
【技術分野】
【０００１】
本発明は、弾性があり外周を変形できるリングを利用したポンプに関するものである。
【背景技術】
【０００２】
風量が小さくても風圧のあるポンプとしてフイゴが用いられる。フイゴには逆止弁が必要で、かつ、往復運動で作用する。これを回転運動だけで作動させたいと考えた。
【発明の開示】
【発明が解決しようとする課題】
【０００３】
本発明は１回転毎に風圧のある風を送り出せるポンプを作るにはどうすれば良いかを課題とした。
【課題を解決するための手段】
【０００４】
本発明は、円盤状の空気室を作り、空気室の内周に気密に接するリングを設ける。リングの外周は空気室の内径の２倍より大きく、リングは空気室の上面と下面に常に気密に接し、リングが空気室の内壁に押しつけられたとき、リングの外周と気密に接する形に形成されており、リングの一部は空気室に固着されている。固着された部分の両側に近接して空気室から外部に通じる空気通路を設ける。空気室に固定されたリングをリングの内側から空気室の内壁に押しつけながら一周させることで、空気室の内壁とリングの外側とに囲まれた空間の容積を変化させ、空気通路より外気を吸引、吐出させることで課題を解決した。
【発明の効果】
【０００５】
以上述べたように、本発明のポンプは１回転毎に風圧のある風を送り出すことが出来るものとなった。また逆止弁を必要としないから構造も動きもシンプルで小型化し易いポンプとなった。
【発明を実施するための最良の形態】
【０００６】
本発明は図１〜図４に示すように、変形出来るリングを、リングより少し大きい円盤状の空気室に収め、リングと空気室の内側壁面との間に出来る空間を変化させることによりポンプ作用を行うものである。従って空気室とリングとの接点から空気が漏れないように作る必要がある。一方、空間を二分させるため、リングの一部を空気室の内側壁面に固着させ、他の部分を内壁に押しつけながら摺動させてポンプ作用を行う。このため、リングを押さえて摺動させる押さえ具とリングとの摩擦を小さくする工夫が必要である。また、空気室とリングとの間の空気漏れを防ぐ手段も必要である。空気漏れを防ぐ手段は吐出される空気の圧力によって選択される。また、リングを空気室の内側壁面に圧着させつつ空気室を一周させる押さえ具は、空気室の中心に軸をおき、リングの一部をソリのように押さえながら滑らせてもよいが、リングと接する部分に回転するコマを付けてもよい。また、リングの断面は円形でもよいが、空気漏れを防ぎやすいように硬い部分と、より柔らかい部分を設けて吐出する圧力に応じて選択する。
【実施例１】
【０００７】
図１〜図４は、本発明のポンプの動きを説明する説明図である。図１に示すようにケース（１）の中に円盤状の空気室（２）を設ける。空気室（２）の中にＯリング（３）が置かれ、Ｏリング（３）の一部が空気室（３）の下部に密着固定されている。空気室（２）の幅はＯリング（２）の太さと同じで、空気室の周囲の内壁はＯリングが密着出来るように半円形に窪んだ状態に削られている。また、空気室の上面と下面は透明な板で密封しＯリング（３）に接している。
【０００８】
図２は、Ｏリング（３）が押さえ具（７）により空気室（２）の内壁に添って移動した状態を示す説明図で、このときに生ずる空気室内の空間を（４）とする。図３は、押さえ具（７）がＯリング内を回転して、Ｏリングの固着点の反対の位置に来た状態を示す。Ｏリング（３）は上下に引っ張られた形となり、この時点では空気室内が２分されて生ずる空間（４）は同じ容積となる。
【０００９】
図４は、押さえ具（７）が更にＯリング内を摺動した状態を示す。空気室内の二分された空間（４）の容積は図２の場合と反対となっている。このように、空気室内でＯリングにより二分された空間は押さえ具によるＯリングの移動によって容積が変化し、空気室（２）の下部に設けた空気通路（５）より空気を吸入し、空気通路（６）より空気室内の空気を吐出する。
【００１０】
実施例ではＯリングを用いたが、適度の弾性があり、空気室の内壁と上面下面に密着してシールし易いものであればよい。またＯリング（３）と空気室（２）の大きさもポンプ作用の出来る大きさにすればよい。
以上述べたように、空気室（２）の中で動くＯリング（３）に相当するリングは空気室の上面と下面を形成する平面の板と常に接しており、接している所から空気が漏れにくい状態となるよう、断面は円形パイプ状、半球状、角形など円形または非円形でもよい。また、リングの外径は空気室の内径より小さく、リングの外周は空気室の内径の２倍より若干長く、リングの内側から空気室の内壁に押しつけられるものであればよい。このポンプの空気吐出量は空気室内の空間の容積（４）に回転数を乗じた量となる。
【産業上の利用可能性】
【００１１】
本発明のポンプを構成する空気室の部分はプラスチックなどで大量生産が可能であり、また、リングも同様に入手し易い。また、組み立ても容易なので、安価に風圧のある空気を吐出するポンプを提供出来る。本発明を利用することによって、厚さ１ミリほどのポンプも生産出来るので、小型機器の需要に応えられるものである。また、空気以外に液体でも同様のポンプ作用が行われるので、用途は更に広がると思われる。
【図面の簡単な説明】
【００１２】
【図１】板（１）に開けられた円盤状の空気室（２）の中にＯリング（３）が空気通路（５）と空気通路（６）との中間の位置に密着固定され、押さえ具（７）がＯリングの固着部分を押さえている状態を示した説明図である。
【図２】押さえ具（７）がＯリング（３）内を摺動して移動したときの状態を示した説明図である。
【図３】押さえ具（７）が空気室（２）の中間点に移動し、空気室内の空間（４）が同じ容積となった状態を示した説明図である。
【図４】押さえ具（７）がさらにＯリング（３）内を摺動しながら移動して空気室内の空間（４）が図２と逆の容積になった状態を示す説明図である。
【符号の説明】
【００１３】
１    空気室を形成する板
２    円盤状に作られた空気室
３    Ｏリング
４    空気室内に生じた空間
５    空気通路
６    空気通路
７    押さえ具
【図１】
2010024936.tif 000003
【図２】
2010024936.tif 000004
【図３】
2010024936.tif 000005
【図４】
2010024936.tif 000006